(57)【要約】【課題】表示部を壁寄せすることができ、しかも、壁面と離隔して載置されるとき、表示部の荷重によって台座が破損するのを防ぐことができる表示装置を提供する。【解決手段】前側に表示面を有する表示部を起立状態で支持する脚体２を、表示部に取着される支柱２１、及び該支柱２１に前後への回動を可能に枢支される二つの台座を有する構成とし、二つの台座を連動して回動させる連動手段３と、二つの台座を復帰回動させるねじりコイルばね４とを設け、台座を手動で操作することなく回動させ得るようにした。【選択図】図６
2007316262.tif 000002
【特許請求の範囲】
【請求項１】
前側に表示面を有する表示部と、該表示部を起立状態で支持する脚体とを備えた表示装置において、前記脚体は、前記表示部に取着される支柱と、該支柱に前後への回動を可能に枢支される二つの台座とを有することを特徴とする表示装置。
【請求項２】
前記二つの台座を連動して回動させる連動手段を備える請求項１記載の表示装置。
【請求項３】
前記連動手段は、二つの台座の回動中心から偏心した位置に固定された第１及び第２の固定軸と、第１及び第２の固定軸に一端が結合された第１及び第２の伝動アームと、第１及び第２の伝動アームの他端を連結する連結体と、前記台座の一方の回動に従って前記連結体を前後に直線移動させる移動案内部とを有する請求項２記載の表示装置。
【請求項４】
前記二つの台座を前又は後へ付勢する付勢ばねを備える請求項１乃至３のいずれか一つに記載の表示装置。
【請求項５】
前記付勢ばねは、コイル部が前記支柱に挿嵌され、両端が前記二つの台座に係止されたねじりコイルばねである請求項４記載の表示装置。
【発明の詳細な説明】
【技術分野】
【０００１】
本発明は液晶表示装置、プラズマ表示装置等の表示装置に関する。
【背景技術】
【０００２】
液晶テレビ等の薄型の表示装置は、前側に表示面を有する表示部と、該表示部を起立状態で支持する脚体とを備える。このように脚体が表示部を起立状態で支持する薄型の表示装置にあっては、表示部を安定性よく支持し、前後への転倒を防ぐため、表示部の重心に対して脚体の前後スパンを比較的長くする必要がある。従って、薄型の表示装置を壁面側に載置する場合、脚体の後端が壁面に当接し、表示部の壁寄せに支障を来し、表示部と壁面との間に比較的広い空間が発生することになる。
【０００３】
ところで、表示部を壁寄せすることができるように構成された表示装置は例えば特許文献１に記載されている。この表示装置は、表示部を支持する脚体を、表示部の横方向両端部に取着される二つの支柱と、該二つの支柱に結合された固定台座と、該固定台座に前後へ可動を可能に取付けられた可動台座とを有する構成とし、表示装置を壁面と離隔して載置するときは可動台座を後方へ可動させ、また、表示装置を壁面側に載置するときは可動台座を前方へ可動させることにより表示部を壁寄せすることができるようになっている。
【特許文献１】特開２００１−３４１７９号公報
【発明の開示】
【発明が解決しようとする課題】
【０００４】
ところが、特許文献１のように二つの支柱に結合された固定台座に可動台座が取付けられている脚体を備える表示装置にあっては、表示装置を壁面と離隔して載置するとき、表示部の荷重を固定台座及び可動台座が受止めるため、表示部が前後に横揺れし、表示部の荷重が可動台座に余計に加わるとき、表示部の支持が不安定となり、可動台座の固定台座への取付部が破損し易くなる。従って、比較的大型の表示装置では脚体の破損による転倒の可能性が高くなり、また、可動台座が固定台座に対して外方へ突出するため、脚体部分の外観が見苦しくなる。
【０００５】
本発明は斯かる事情に鑑みてなされたものであり、主たる目的は表示部に取着される支柱と、該支柱に前後への回動を可能に枢支される二つの台座とを脚体が有する構成とすることにより、表示部を壁寄せすることができ、しかも、壁面と離隔して載置されるとき、表示部の荷重によって台座が破損するのを防ぐことができる表示装置を提供することにある。
【０００６】
また、他の目的は二つの台座を連動して回動させる連動手段を設けることにより、壁面側への載置作業を容易に行うことができる表示装置を提供することにある。
【０００７】
また、他の目的は二つの固定軸と、二つの伝動アームと、連結体及び移動案内部とを連動手段が有する構成とすることにより、連動手段を有する割にコストを低減できる表示装置を提供することにある。
【０００８】
また、他の目的は二つの台座を復帰回動させる付勢ばねを設けることにより、二つの台座を自動的に標準位置へ復帰回動させることができる表示装置を提供することにある。
【０００９】
また、他の目的はねじりコイルばねを支柱に挿嵌支持し、該ねじりコイルばねが二つの台座を付勢する構成とすることにより、付勢ばねの組込みを簡易に行うことができる表示装置を提供することにある。
【課題を解決するための手段】
【００１０】
本発明に係る表示装置は、前側に表示面を有する表示部と、該表示部を起立状態で支持する脚体とを備えた表示装置において、前記脚体は、前記表示部に取着される支柱と、該支柱に前後への回動を可能に枢支される二つの台座とを有することを特徴とする。
【００１１】
この発明にあっては、表示装置を壁面と離隔して載置するときは標準位置に台座が配置されているため、表示部を安定性よく支持することができる。また、表示装置を壁面側に載置するときは、表示装置を壁面側へ押付けることにより、二つの台座の後端が壁面に当接し、該二つの台座が支柱への枢支部を中心として前方へ回動し、表示部を壁寄せすることができる。また、二つの台座は支柱に枢支されているため、表示部が前後に横揺れする場合においても安定性を高めることができる。また、支柱に枢支された台座が回動する構成であるため、脚体部分の外観を良好にできる。
【００１２】
また、本発明に係る表示装置は、前記二つの台座を連動して回動させる連動手段を備えることを特徴とする。
【００１３】
この発明にあっては、二つの台座の一方が壁面に当接し、一方の台座が回動するとき、一方の台座の回動に連動して他方の台座を回動させつつ壁寄せすることができる。
【００１４】
また、本発明に係る表示装置は、前記連動手段は、二つの台座の回動中心から偏心した位置に固定された第１及び第２の固定軸と、第１及び第２の固定軸に一端が結合された第１及び第２の伝動アームと、第１及び第２の伝動アームの他端を連結する連結体と、前記台座の一方の回動に従って前記連結体を前後に直線移動させる移動案内部とを有することを特徴とする。
【００１５】
この発明にあっては、二つの台座の一方が壁面に当接し、一方の台座が回動するとき、この一方の台座の回動に従って第１の固定軸が前方へ変位し、該第１の固定軸に結合されている第１の伝動アームが移動案内部に沿って前方へ移動し、該第１の伝動アームの移動が連結体を介して第２の伝動アームに伝動され、第１の伝動アームに連動して第２の伝動アームが移動案内部に沿って前方へ移動し、第２の伝動アームの移動が第２の固定軸から他方の台座に伝動され、該他方の台座が前方へ回動し、表示部を壁寄せすることができる。
【００１６】
また、本発明に係る表示装置は、前記二つの台座を前又は後へ付勢する付勢ばねを備えることを特徴とする。
【００１７】
この発明にあっては、二つの台座が前方へ回動し、表示部を壁寄せしている状態で表示部が壁面に対して離隔されるとき、付勢ばねにより二つの台座を自動的に標準位置へ復帰回動させることができる。
【００１８】
また、本発明に係る表示装置は、前記付勢ばねは、コイル部が前記支柱に挿嵌され、両端が前記二つの台座に係止されたねじりコイルばねであることを特徴とする。
【００１９】
この発明にあっては、二つの台座が前方へ回動し、表示装置を壁寄せしている状態で表示装置が壁面に対して離隔されるとき、一つの付勢ばねにより二つの台座を自動的に標準位置へ復帰回動させることができる。また、ねじりコイルばねを支柱に挿嵌することにより該ねじりコイルばねを支持することができる。
【発明の効果】
【００２０】
以上詳述したように本発明によれば、表示部を支持する二つの台座を前方へ回動させることにより、表示部を壁寄せすることができ、しかも、二つの台座は支柱に枢支されているため、壁面と離隔して載置されるとき、表示部の荷重によって台座が破損するのを防ぐことができる。
【００２１】
また、本発明によれば、二つの台座を連動して回動させることができるため、台座の一方を壁面に当接させることにより、二つの台座を回動させつつ壁寄せすることができ、壁面側への載置作業を容易に行うことができる。
【００２２】
また、本発明によれば、連動手段は二つの固定軸と、二つの伝動アームと、連結体及び移動案内部とを有する簡易な構成であるため、連動手段をコンパクトに構成でき、連動手段を有する割に表示装置のコストを低減できる。
【００２３】
また、本発明によれば、付勢ばねにより二つの台座を自動的に標準位置へ復帰回動させることができるため、表示装置を移動させる際に表示装置を転倒し難くできる。
【００２４】
また、本発明によれば、ねじりコイルばねを支柱に挿嵌することにより該ねじりコイルばねを支持することができるため、ねじりコイルばねの組込みを簡易に行うことができる。
【発明を実施するための最良の形態】
【００２５】
以下本発明をその実施の形態を示す図面に基づいて詳述する。図１は本発明に係る表示装置の脚体の構成を示す横断平面図、図２は脚体の構成を示す縦断正面図、図３は台座の連動手段を示す説明図、図４は表示装置の全体の構成を示す斜視図、図５は台座を前方へ回動させた状態の説明図、図６は台座が回動していない状態と、回動している状態との関係を示す説明図である。
【００２６】
図示した表示装置はテレビ画像を表示し、略直方体をなす表示部１と、該表示部１の下側に配置され、表示部１を起立状態で支持する脚体２とを備える薄型の液晶テレビである。
【００２７】
表示部１は前側に表示面１１ａを有する液晶のパネル１１と、該パネルの後側に配置された光学シートと、拡散板と、バックライト部と、電源基板等のテレビ基板と、これらパネル等の部品を収容した筺体１２とを備えており、筺体１２の後面下部で、且つ長手方向中央部に脚体２が取着されている。
【００２８】
脚体２は筺体１２に上部が取着される支柱２１と、該支柱２１の外周部に前後への回動を可能に枢支された板状の第１及び第２の台座２２，２３とを有する。第１及び第２の台座２２，２３は平面視略Ｌ字形をなし、支柱２１に挿嵌すべき貫通孔２２ａ，２３ａが一端部に設けられている。また、第１の台座２２の一端部は上方へ変位し、第１及び第２の台座２２，２３の一端部同士が上下に重合され、貫通孔２２ａ，２３ａを符合してある。
【００２９】
第１及び第２の台座２２，２３の一端部で、且つ貫通孔２２ａ，２３ａと他端側へ離隔した位置に第１及び第２の固定軸３１，３１ａが支柱２１と平行に突設されている。また、第１及び第２の台座２２，２３の一端部で、且つ第１及び第２の固定軸３１，３１ａと他端側へ離隔した位置に第１及び第２のばね受部２４，２４ａが設けられている。
【００３０】
支柱２１は貫通孔２２ａ，２３ａに嵌入される枢軸部２１ａと、該枢軸部２１ａの上端に固定された固定板２１ｂと、該固定板２１ｂの上面の一部に複数の取付軸２１ｃにより取付けられた案内板２１ｄとを有しており、固定板２１ｂの他部に結合された取着軸部２１ｅが筺体１２に取着されるように構成されている。
【００３１】
案内板２１ｄは枢軸部２１ａの軸心Ｏと前後に直交する直交線に沿って前記軸心Ｏの前方位置にその長手方向が前後となるように開設された長孔状の移動案内孔３２を有する。
【００３２】
また、脚体２には第１及び第２の台座２２，２３を連動して回動させる連動手段３と、第１及び第２の台座２２，２３を後方へ付勢する付勢ばね４とが設けられている。
【００３３】
連動手段３は、第１及び第２の固定軸３１，３１ａと、第１及び第２の固定軸３１，３１ａの上端に相対回転を自在に一端が結合された第１及び第２の伝動アーム３３，３３ａと、第１及び第２の伝動アーム３３，３３ａの他端を相対回転を自在に連結する連結軸３４と、該連結軸３４を前後に移動案内する移動案内孔３２とを備えており、移動案内孔３２により第１及び第２の台座２２，２３の回動角度を設定してある。即ち、連結軸３４が移動案内孔３２の後端に当接することにより第１及び第２の台座２２，２３の後方への回動を規制し、連結軸３４が移動案内孔３２の前端に当接することにより第１及び第２の台座２２，２３の前方への回動を規制するように構成されている。
【００３４】
連動手段３による第１及び第２の台座２２，２３の動作は次の通りである。図１及び図６の実線で示す第１の台座２２が前方（時計方向）へ回動するとき、第１の台座２２に固定された第１の固定軸３１が、軸心Ｏを中心とする回動軌跡Ｘに沿って矢印Ｙ方向へ変位し、第１の固定軸３１に結合されている第１の伝動アーム３３の一端に矢印Ｙ方向の押圧力が加わり、該押圧力により第１の伝動アーム３３が移動案内孔３２に沿って前方へ移動し、第１の伝動アーム３３の移動が連結軸３４を介して第２の伝動アーム３３ａに伝動され、第２の伝動アーム３３ａが第１の伝動アーム３３の移動に連動して移動案内孔３２に沿って前方へ移動し、該第２の伝動アーム３３ａの移動により図３矢印Ｆ方向の押圧力が第２の台座２３に加わり、第２の台座２３が第１の台座２２の回動に連動して前方（反時計方向）へ回動し、第１及び第２の台座２２，２３は図５の状態及び図６の鎖線の状態になる。このとき、連結軸３４が移動案内孔３２の前端に当接し、第１及び第２の台座２２，２３の前方への回動を規制することができる。また、第２の台座２３が前方（反時計方向）へ回動するときの動作も上述と同様である。
【００３５】
付勢ばね４は、線材の中間部が巻回されているねじりコイルばねを用いてあり、コイル部４ａを枢軸部２１ａに挿嵌支持し、一端を第１のばね受部２４に係止し、他端を第２のばね受部２４ａに係止してあり、第１及び第２の台座２２，２３を後方へ付勢している。
【００３６】
以上のように構成された表示装置は、付勢ばね４により第１及び第２の台座２２，２３が後方へ付勢され、図１及び図６の実線で示すように標準位置に第１及び第２の台座２２，２３が配置されている。従って、壁面Ａと離隔して載置されるとき、表示装置を安定性よく支持することができる。尚、脚部２には第１及び第２の台座２２，２３を、連動手段３部分を含めて被覆する二つのカバー体を設ける。
【００３７】
表示装置を壁面Ａ側に載置するときは、壁面Ａと離隔して載置された表示装置を壁面Ａ側へ押付けることにより、第１及び第２の台座２２，２３の後端（中間屈曲部）が壁面Ａに当接し、第１及び第２の台座２２，２３が枢軸部２１ａを中心として前方へ同時に回動し、第１及び第２の台座２２，２３の後端を前方へ同時に変位させることができ、表示部１を壁寄せすることができる。
【００３８】
また、例えば第１の台座２２の後端（中間屈曲部）が壁面Ａに当接し、第２の台座２３の後端（中間屈曲部）が壁面Ａに対して離隔している状態、換言すると台座が片当たりしている状態で表示装置が壁面Ａ側へ押付けられるとき、段落「００３４」に記載されているように第１の台座２２に固定されている第１の固定軸３１が、軸心Ｏを中心とする回動軌跡Ｘに沿って矢印Ｙ方向へ変位し、第１の固定軸３１に結合されている第１の伝動アーム３３の一端に矢印Ｙ方向の押圧力が加わり、該押圧力により第１の伝動アーム３３が移動案内孔３２に沿って前方へ移動し、第１の伝動アーム３３の移動が連結軸３４を介して第２の伝動アーム３３ａに伝動され、該第２の伝動アーム３３ａが第１の伝動アーム３３の移動に連動して移動案内孔３２に沿って前方へ移動し、該第２の伝動アーム３３ａの移動により図３矢印Ｆ方向の押圧力が第２の台座２３に加わり、該第２の台座２３を第１の台座２２の回動に連動して回動させることができる。従って、第１及び第２の台座２２，２３を壁面Ａに容易に当接させることができ、表示部１を容易に壁寄せすることができる。
【００３９】
また、表示装置の補修時等、表示装置を壁面Ａと離隔させるとき、付勢ばね４により第１及び第２の台座２２，２３を標準位置へ自動的に復帰回動させることができる。従って、表示装置を移動させる際に表示装置を転倒し難くできる。
【００４０】
尚、以上説明した実施の形態では第１及び第２の台座２２，２３を連動手段３により連動して回動させるように構成したが、その他、連動手段をなくし、第１及び第２の台座２２，２３を独立して回動させるように構成してもよい。つまり、第１及び第２の台座２２，２３の後端がほぼ同時に壁面Ａに当接するように壁寄せされるときは連動手段３が必要でない。
【００４１】
また、付勢ばね４を備え、第１及び第２の台座２２，２３を自動的に復帰回動させるように構成したが、その他、付勢ばね４をなくし、手動で復帰回動させるように構成してもよい。この場合、第１及び第２の台座２２，２３の枢支部に適宜の回動抵抗を加えるか、又は、凹部及び該凹部に係合することが可能な凸部を有する位置決め機構を前記枢支部に設けて第１及び第２の台座２２，２３の回動位置を維持するように構成する。
【００４２】
また、以上説明した実施の形態では表示部１の横方向中央で垂下する一つの支柱２１に第１及び第２の台座２２，２３を枢支した構成としたが、その他、表示部１の横方向中央に対して離隔した二つの位置で垂下する二つの支柱２１，２１の一方に第１の台座２２を枢支し、他方に第２の台座２３を枢支した構成としてもよい。この場合、二つの支柱２１，２１間の距離が比較的短いときは第１及び第２の台座２２，２３を支柱２１の外側方に配置し、また、二つの支柱２１間の距離が比較的長いときは第１及び第２の台座２２，２３を支柱２１，２１の間に配置する。
【００４３】
また、連動手段３、付勢ばね４を備える場合、該連動手段３及び付勢ばね４の構成は特に制限されない。
【００４４】
また、本発明に係る表示装置は液晶テレビ等の液晶表示装置である他、プラズマ表示装置、ＥＬディスプレィ等の表示装置であってもよい。
【図面の簡単な説明】
【００４５】
【図１】本発明に係る表示装置の脚体の構成を示す横断平面図である。
【図２】本発明に係る表示装置の脚体の構成を示す縦断正面図である。
【図３】本発明に係る表示装置の台座の連動手段を示す説明図である。
【図４】本発明に係る表示装置の全体の構成を示す斜視図である。
【図５】本発明に係る表示装置の台座を前方へ回動させた状態の説明図である。
【図６】本発明に係る表示装置の台座が回動していない状態と、回動している状態との関係を示す説明図である。
【符号の説明】
【００４６】
１    表示部
２    脚体
２１  支柱
２２  第１の台座
２３  第２の台座
３    連動手段
３１  第１の固定軸
３１ａ  第２の固定軸
３２  移動案内孔（移動案内部）
３３  第１の伝動アーム
３３ａ  第２の伝動アーム
３４  連結軸（連結体）
４    付勢ばね（ねじりコイルばね）
【図１】
2007316262.tif 000003
【図２】
2007316262.tif 000004
【図３】
2007316262.tif 000005
【図４】
2007316262.tif 000006
【図５】
2007316262.tif 000007
【図６】
2007316262.tif 000008